(57)【特許請求の範囲】
【請求項１】
本体部内で上下方向に移動するディスク搬送部と、
前記本体部に設けられ、外部から前記ディスク搬送部にディスクを挿入するためのディスク挿入口と、
前記ディスク挿入口を開閉するように、前記ディスク挿入口の外側に回動自在に取り付けられた扉部材と、
前記ディスク搬送部が所定の位置に達した場合に、前記扉部材を開いて前記ディスク挿入口を開放する扉部材開閉手段と、
を備え、
前記扉部材開閉手段は、
前記ディスク搬送部に設けられるレバー部材と、
前記ディスク搬送部が所定の位置に達した場合に、前記レバー部材と当接して、前記扉部材を押圧することにより、前記扉部材を前記ディスク挿入口の外側に回動させる押圧部材とを備え、
前記レバー部材には、前記押圧部材の一方の端部と当接する傾斜面が上側及び下側に形成され、
前記レバー部材の傾斜面に前記押圧部材の一方の端部が当接した状態で、更に前記ディスク搬送部が上下方向に移動すると、前記押圧部材の一方の端部が、前記上側及び下側の何れか一方の傾斜面に沿って摺動することにより、前記押圧部材が前記扉部材を押圧する方向に移動するように構成されていることを特徴とするディスクチェンジャー装置。
【請求項２】
前記押圧部材もしくは前記扉部材の少なくとも一方には、前記扉部材が閉まる方向に向かって付勢する付勢部材が設けられていることを特徴とする請求項１記載のディスクチェンジャー装置。
【発明の詳細な説明】
【０００１】
【発明の属する技術分野】
本発明は、ディスクチェンジャー装置に関する。
【０００２】
【従来の技術】
近年、ＣＤ（Compact Disc）、ＭＤ（Mini Disc）、ＤＶＤ（Digital Versatile Disc）等のディスク状記録媒体（以下、ディスクという）を複数収納し、これら収納された複数のディスクの中から特定のディスクを抜き出して再生するディスクチェンジャー装置が開発されている。
【０００３】
このような装置の一例としてのディスクチェンジャー装置２００を、図２に示す。ディスクチェンジャー装置２００は、装置本体を囲むメインシャーシ２０２内に、３枚のディスクを格納できる格納庫２０３ａが備えられたケースシャーシ２０３と、ケースシャーシ２０３の下方のディスク再生部２０４に設けられるトラバースシャーシ２０５と、これらケースシャーシ２０３とトラバースシャーシ２０５の側方において昇降動作を行い、ディスクの搬送を行うベースシャーシ２０６とを備えている。また、ベースシャーシ２０６に隣接するメインシャーシ２０２の所定の箇所には、外部からディスクをディスクチェンジャー装置２００内部に投入するためのディスク挿入口２０２ａが形成されている。
【０００４】
このディスクチェンジャー装置２００では、例えばユーザによってディスク挿入口２０２ａからディスクＤが挿入されると（図２（ａ））、ディスクＤはベースシャーシ２０６に備えられる駆動ローラ２０６ａの回転によってベースシャーシ２０６内に取り込まれる。ディスクＤを取り込んだベースシャーシ２０６は、ユーザの操作に応じて、例えば再生部２０４近傍の位置まで移動して駆動ローラ２０６ｂを回転させ、ディスクＤをトラバースシャーシ２０５に送り込んだり、あるいはケースシャーシ２０３近傍に移動して格納庫内２０３ａにディスクＤを収納させたり、またディスクＤをディスク挿入口２０２ａから排出させたりするようになっている。
このようなベースシャーシ２０６の動作により、ディスクチェンジャー装置２００では一度に複数枚のディスクを内部に取り込んで格納するとともに、取り込まれたディスクの中から任意のディスクを再生部に搬送して再生させることができるようになっている。
【０００５】
【発明が解決しようとする課題】
ところで、このようなディスクチェンジャー装置２００において、ディスクＤがディスク挿入口２０２ａから挿入される際には、ベースシャーシ２０６はディスク挿入口２０２ａと同じ高さ位置など、ディスクＤを取り込むために適切な所定の位置になければならない。仮にベースシャーシがディスクＤ挿入に適切な位置にない場合、例えば図２（ｂ）のように、ベースシャーシ２０６がディスク挿入口２０２ａよりも下方に位置している場合などに、ユーザによってディスクＤが挿入されてしまうと、ディスクＤがベースシャーシ２０６に正しく取り込まれずに、例えば図２（ｃ）のように、不適切な状態でベースシャーシ２０６上に載ってしまったり、あるいはディスクチェンジャー装置２００内部でディスクＤが引っ掛かってしまうなどの不都合が生じる。このような状態では、ディスクＤがディスクチェンジャー装置２００内から取り出せなくなったり、ベースシャーシ２０６が動作不能となる恐れもあるため問題である。
【０００６】
本発明の課題は、装置の本体部内において移動するディスク搬送部に、適切にディスクを挿入可能なディスクチェンジャー装置を提供することである。
【０００７】
【課題を解決するための手段】
以上の課題を解決するため、請求項１記載の発明は、
本体部内で上下方向に移動するディスク搬送部と、
前記本体部に設けられ、外部から前記ディスク搬送部にディスクを挿入するためのディスク挿入口と、
前記ディスク挿入口を開閉するように、前記ディスク挿入口の外側に回動自在に取り付けられた扉部材と、
前記ディスク搬送部が所定の位置に達した場合に、前記扉部材を開いて前記ディスク挿入口を開放する扉部材開閉手段と、
を備え、
前記扉部材開閉手段は、
前記ディスク搬送部に設けられるレバー部材と、
前記ディスク搬送部が所定の位置に達した場合に、前記レバー部材と当接して、前記扉部材を押圧することにより、前記扉部材を前記ディスク挿入口の外側に回動させる押圧部材とを備え、
前記レバー部材には、前記押圧部材の一方の端部と当接する傾斜面が上側及び下側に形成され、
前記レバー部材の傾斜面に前記押圧部材の一方の端部が当接した状態で、更に前記ディスク搬送部が上下方向に移動すると、前記押圧部材の一方の端部が、前記上側及び下側の何れか一方の傾斜面に沿って摺動することにより、前記押圧部材が前記扉部材を押圧する方向に移動するように構成されていることを特徴とするディスクチェンジャー装置である。
【００１０】
請求項２記載の発明は、請求項１記載のディスクチェンジャー装置であって、
前記押圧部材もしくは前記扉部材の少なくとも一方には、前記扉部材が閉まる方向に向かって付勢する付勢部材が設けられていることを特徴とする。
【００１１】
【発明の実施の形態】
以下、図を参照して本発明の実施の形態を説明する。図１は、本発明の一例としてのディスクチェンジャー装置１００に備えられるディスク挿入口の開閉機構１を示す側面図である。
【００１２】
図１において、２はディスクチェンジャー装置１００において周囲を取り囲むように設けられるメインシャーシ（本体部）の一部（ディスクチェンジャー装置１００の側面部分）である。３はディスクチェンジャー装置１００内でディスクを搬送するために設けられたベースシャーシ（ディスク搬送部）であって、図示しないスライダのスライド動作により、メインシャーシ２近傍において、装置１００内部を上下方向に移動可能に備えられている。また２ａは、ディスクチェンジャー装置１００の外部からベースシャーシ３にディスクを挿入するために、メインシャーシ２に形成されたディスク挿入口である。
ベースシャーシ３がディスク挿入口２ａの側方に位置した際には、装置１００外部からディスク挿入口２ａを介してベースシャーシ３にディスクを挿入することが可能となっている。このディスク挿入のために適切なベースシャーシ３の位置を、ディスク挿入位置と称する。
【００１３】
ディスク挿入口２ａの上部のメインシャーシ２には、開閉シャッター４（扉部材）が設けられている。開閉シャッター４は、ディスク挿入口２ａを覆うように形成されたシャッター部４ａと、シャッター部４ａの上端部から装置１００の内部方向に突出して形成された突出部４ｂと、突出部４ｂの上部に形成された軸部４ｃとにより構成される。開閉シャッター４は、軸部４ｃが軸部材５を介してメインシャーシ２に取り付けられることによって、回動自在となっていて、開閉シャッター４が上方に回動すると、シャッター部４ａで閉塞されていたディスク挿入口２ａが開放されるようになっている。
【００１４】
ディスク挿入口２ａの上部内側には、取付部材６を介してプッシュピン７（扉部材開閉手段、押圧部材）が設けられている。プッシュピン７は、取付部材６の取付孔６ａに挿通され、内側端部には、上側および下側にテーパ状の傾斜面が形成されたテーパ部７１が設けられている。テーパ部７１の上側の面を傾斜面７１ａ、下側の面を傾斜面７１ｂとする。
また、プッシュピン７の外側端部７２は、開閉シャッター４の突出部４ｂに当接するように配置され、この外側端部７２の近傍には、プッシュピン７の周方向に沿って、外側面から外側に突出するストッパー７３が形成されている。
【００１５】
また、プッシュピン７のテーパ部７１と取付部材６との間には、プッシュピン７の周囲を取り巻くように、コイルバネ８（付勢部材）が設けられる。コイルバネ８は、プッシュピン７をディスクチェンジャー装置１００の内側方向に付勢するようになっており、プッシュピン７に外力が加えられていない状態では、プッシュピン７はコイルバネ８で付勢されて装置１００の内側方向に突出し、ストッパー７３により取付部材６に係止されるようになっている。
またプッシュピン７は、このように内側方向に突出した状態で、その外側端部７２が、ディスク挿入口２ａを閉じた状態の開閉シャッター４の突出部４ｂのディスクチェンジャー装置１００内部側端部と当接している。
【００１６】
ベースシャーシ３の側面部３ａには、シャッターレバー９（扉部材開閉手段、レバー部材）が取り付けられている。シャッターレバー９は、その外側端部に設けられる屈曲部９１と、ベースシャーシ３に固定される固定部９２と、により構成されている。固定部９２には、ベースシャーシ３側部に固定するためのネジ孔９２ａが形成されている。
屈曲部９１は、図１に示すように、外側端部が上方に向かってくの字型に屈曲して形成されたものであって、外側の面は、上面および下面がテーパ状に傾斜している。この上面を傾斜面９１ａ、下面を傾斜面９１ｂとする。
【００１７】
そして、本発明にかかるディスク挿入口の開閉機構１は、上記した開閉シャッター４と、プッシュピン７と、シャッターレバー９とにより構成される。
【００１８】
次いで、上記構成のディスク挿入口の開閉機構１の動作について説明する。
まず、ベースシャーシ３が、ディスク挿入位置から離れた位置にある状態では、前述のように、開閉シャッター４によってディスク挿入口２ａは閉塞され、装置１００の外部からディスク挿入口２ａにディスクを挿入することができないようになっている。即ち、例えば図１（ａ）のように、ベースシャーシ３がディスク挿入位置よりも下方に離れた位置では、ディスク挿入口２ａは閉じた状態となる。
【００１９】
次いで、ベースシャーシ３が、図１（ａ）のようなディスク挿入位置の下方の位置から、上方に移動して、ディスク挿入位置の近傍に達すると、シャッターレバー９の上側の傾斜面９１ａと、プッシュピン７のテーパ部７１の下側の傾斜面７１ｂとが当接する。さらにベースシャーシ３が上方に移動すると、プッシュピン７のテーパ部７１がシャッターレバーの傾斜面９１ａに沿って摺動することによって、プッシュピン７は、ディスクチェンジャー装置１００の外部方向に押し出されるように移動する。
【００２０】
すると、プッシュピン７の外部側端部７２と接触している開閉シャッター４の突出部４ｂに、外側方向への力が加えられる。突出部４ｂは、開閉シャッター４の軸部４ｃよりも下方であって、また開閉シャッター４のシャッター部４ａは突出部４ｂから下方に延出しているので、突出部４ｂに外側方向への力が加えられることにより、開閉シャッター４のシャッター部４ａは軸部４ｃを中心に上方に回動する。
そして、ベースシャーシ３がディスク挿入位置に到達すると、開閉シャッター４はプッシュピン７によって完全に押し開けられ、ディスク挿入口２ａは開放されて、ディスクをディスクチェンジャー装置１００外部からベースシャーシ３に挿入することが可能となる。
【００２１】
ベースシャーシ３が、ディスク挿入位置からさらに上方に移動すると、シャッターレバー９の屈曲部９１は、プッシュピン７のテーパ部７１の頂点７１ｃを乗り越える。ベースシャーシ３がさらに上方に移動すると、プッシュピン７はコイルバネ８によって装置１００の内側方向に付勢されているので、シャッターレバー９の屈曲部９１の下側の傾斜面９１ｂと、プッシュピン７のテーパ部７１の上側の傾斜面７１ａとが当接する。そしてベースシャーシ３の上方への移動に伴って、プッシュピン７のテーパ部７１はシャッターレバー９の摺動面９１ｂに沿って摺動することにより、プッシュピン７は装置１００の内部方向に移動する。
すると、開閉シャッター４はディスク挿入口２ａを閉塞する方向に回動し、ベースシャーシ３がディスク挿入位置から離れると、開閉シャッター４はディスク挿入口２ａを完全に閉じた状態となる。
【００２２】
また、ベースシャーシ３がディスク挿入位置よりも上方に離れた位置から、ディスク挿入位置に移動する場合も、プッシュピン７のテーパ部７１がシャッターレバー９の傾斜面９１ｂと当接して摺動し、プッシュピン７がディスクチェンジャー装置１００の外部方向に移動して、開閉シャッター４が上方に回動し、ディスク挿入口２ａが開放される。
この状態から、更にベースシャーシ３が下方に離れる場合は、プッシュピン７のテーパ部７１がシャッターレバー９の上側の傾斜面９１ａに当接して摺動することにより、プッシュピン７がディスクチェンジャー装置１００の内部方向に移動して、開閉シャッター４が下方に回動し、ディスク挿入口２ａが閉塞される。
【００２３】
以上のディスク挿入口の開閉機構１によれば、ベースシャーシ３がディスク挿入位置に到達すると、開閉シャッター４がプッシュピン７の移動に伴って回動することにより、ディスク挿入口２ａが開放される。また、ベースシャーシ３がディスク挿入位置から離れるように移動すると、開閉シャッター４がディスク挿入口２ａを閉塞する方向に回動して、ディスク挿入口２ａが閉じられる。
【００２４】
従って、ベースシャーシ３がディスク挿入位置に達している場合にのみ、ディスク挿入口２ａが開放され、ディスクをディスクチェンジャー装置１００の外部からベースシャーシ３に挿入することが可能になる。ベースシャーシ３がディスク挿入位置から離れた位置にある場合には、ディスク挿入口２ａは開閉シャッター４によって閉塞され、ディスクの挿入が防止される。またユーザは、開閉シャッター４が開いているか閉じているかを視覚的に確認することにより、ベースシャッター４がディスク挿入位置に到達した状態であるか否かを確認できる。それによって、ベースシャッター４がディスク挿入位置にない場合に、誤ってディスクをディスクチェンジャー装置１００の外部から挿入することを防止できる。
その結果、ディスクチェンジャー装置１００からディスクが取り出せなくなったり、ディスクチェンジャー装置１００内でディスクが引っ掛かって故障が発生することを防止できる。
【００２５】
なお、本発明は、上記実施の形態に限定されるものではない。
例えば、プッシュピン７に設けられる付勢部材は、板バネ、ゴム等の他の弾性部材であってもよい。また、付勢部材を取り付ける位置も変更可能であって、取付部材６とプッシュピン７の外部側端部７２との間に設ける等でもよい。
さらに、開閉シャッター４に、ディスク挿入口２ａを閉塞する方向に付勢する付勢部材を設けてもよく、プッシュピン７、開閉シャッター４のいずれか一方にのみ付勢部材を取り付けてもよい。
また、傾斜面はシャッターレバー９にのみ形成してもよい。
加えて開閉シャッター４は、軸部４ｃをシャッター部４ａの下方に形成し、シャッター部４ａが下方に回動することでディスク挿入口２ａが開放されるようにしてもよい。さらに開閉シャッター４は、ディスクの挿入を妨げるようにディスク挿入口２ａの一部を遮断する形状でもよい。
【００２６】
また、ディスク挿入口の開閉機構１の扉部材開閉手段として、プッシュピン７およびシャッターレバー９の機械的な手段で説明したが、例えば、ディスク搬送部が所定の位置に達したかどうかを検出し、所定の位置に達した場合に、モータ駆動等により扉部材を開放する電気的な手段であってもよい。
また、ディスク挿入口の開閉機構１は、プッシュピン７およびシャッターレバー９の取り付け位置や、それらに形成される傾斜面の傾斜方向を適宜変更することにより、ベースシャーシ３が水平移動するディスクチェンジャー装置に適用してもよく、またディスクチェンジャー装置以外のディスク再生装置に備えられてもよい。
【００２７】
【発明の効果】
本発明によれば、ディスク搬送部が、所定の位置に達している場合にのみ、ディスク挿入口が開放され、ディスク搬送部にディスクを挿入することができる。またディスク搬送部が所定の位置から離れた位置にある場合には、ディスク挿入口は扉部材によって閉塞されるので、ディスクが誤って挿入されることを防止でき、またユーザは、ディスク挿入が可能か否かを、扉部材の開閉を視覚的に確認することにより判断できる。
従って、ディスク搬送部が所定の位置にない場合に誤ってディスクがディスク挿入口から挿入されることを防止できるので、ディスクチェンジャー装置等からディスクが取り出せなくなったり、ディスクチェンジャー装置内でディスクが引っ掛かって故障が発生することを防止できる。
【図面の簡単な説明】
【図１】本発明を適用したディスク挿入口の開閉機構の一例を示す側面図であり、（ａ）はディスク搬送部がディスク挿入位置から離れた位置にあり、ディスク挿入口が閉塞されている様子、（ｂ）はディスク搬送部がディスク挿入位置に達してディスク挿入口が開放された様子を示す。
【図２】従来のディスクチェンジャー装置の内部を示す側面図であって、（ａ）はディスク搬送部がディスク挿入のための位置にある様子、（ｂ）および（ｃ）は、ディスク搬送部が所定の位置にない場合に誤ってディスクが挿入された様子を示す。
【符号の説明】
１    ディスク挿入口の開閉機構
２    メインシャーシ
２ａ  ディスク挿入口
３    ベースシャーシ（ディスク搬送部）
４    開閉シャッター（扉部材）
７    プッシュピン（扉部材開閉手段、押圧部材）
８    コイルバネ（付勢部材）
９    シャッターレバー（扉部材開閉手段、レバー部材）
９１ａ，９１ｂ  傾斜面
１００  ディスクチェンジャー装置
【図１】
0003850267.tif 000002
【図２】
0003850267.tif 000003